(57)【要約】【課題】  本発明は、補助すべき身体の目的器官又は部分に至る少なくとも一つの導体リードに接続するための医療装置に取り付けられるヘッダ組立体に関する。【解決手段】  ヘッダ組立体は、少なくとも一つの一体の導体ワイヤを支持するポリマー物質の本体からなる。導体ワイヤは、医療装置から出る貫通ワイヤと、導体リードが差し込まれる端子ブロックとの間を接続するものである。導体ワイヤを貫通ワイヤに接続する種々の構造が記述される。【選択図】  なし【特許請求の範囲】
【請求項１】
制御回路を収納するハウジングと、少なくとも一つの電気エネルギー貯蔵装置と、前記制御回路から前記ハウジングの壁を通って延びる少なくとも一つの貫通ワイヤとからなる植え込み型医療装置を、その医療装置によって補助されるべき身体器官に至る導体リードに接続するためのヘッダ組立体であって、
ａ）前記医療装置の前記ハウジング上に取り付けられる本体と、
ｂ）ポリマーからなる前記本体によって支持され、前記導体リードに直接接続可能な、少なくとも一つの端子と、
ｃ）前記本体によって支持され、前記端子に接続された先端部と、前記貫通ワイヤに直接接続された基端部とを有する一体形の中間導体とからなることを特徴とするヘッダ組立体。
【請求項２】
前記中間導体ワイヤの前記基端部が、重ね合わせ結合構造で前記貫通ワイヤを固定可能な段部からなることを特徴とする請求項１に記載のヘッダ組立体。
【請求項３】
前記中間導体ワイヤの前記基端部が、前記貫通ワイヤを受け入れて接続することができる孔を有する拡大頭部からなることを特徴とする請求項１に記載のヘッダ組立体。
【請求項４】
前記拡大頭部が孔とその孔に通じる溝とからなり、その溝の中にはバネがぴったり収められており、前記貫通ワイヤが前記孔内に受け入れられる際、前記バネが前記貫通ワイヤと接触するようになっていることを特徴とする請求項３に記載のヘッダ組立体。
【請求項５】
前記溝が、前記貫通ワイヤを取り囲む環状のバネを支持する環状溝であることを特徴とする請求項４に記載のヘッダ組立体。
【請求項６】
前記バネが板バネであることを特徴とする請求項４に記載のヘッダ組立体。
【請求項７】
前記本体がポリマー材料からなることを特徴とする請求項１に記載のヘッダ組立体。
【請求項８】
前記本体が、前記ハウジングに固定されたブラケットを受容する第１の入口と、第２の入口とを有しており、前記ブラケットが前記第１の入口に受け入れられたとき、楔が前記第２の入口及びブラケットの入口に受け入れられ、前記ヘッダ組立体を前記医療装置に固定することが可能であることを特徴とする請求項１に記載のヘッダ組立体。
【請求項９】
前記ブラケットがＬ字型又はＵ字型であることを特徴とする請求項８に記載のヘッダ組立体。
【請求項１０】
前記医療装置の前記ハウジングが、はめ合わさっている第１と第２のクラムシェル部材からなることを特徴とする請求項１に記載のヘッダ組立体。
【請求項１１】
前記医療装置が補聴器、神経刺激器、心臓ペースメーカー、薬品ポンプ及び心臓細動除去器からなる群から選択されることを特徴とする請求項１に記載のヘッダ組立体。
【請求項１２】
制御回路を収納するハウジングと、少なくとも一つの電気エネルギー貯蔵装置と、前記制御回路から前記ハウジングの壁を通って延びる少なくとも一つの貫通ワイヤとからなる植え込み型医療装置を、その医療装置によって補助されるべき身体器官に至る導体リードに接続するためのヘッダ組立体であって、
ａ）前記医療装置の前記ハウジング上に取り付けられる本体と、
ｂ）ポリマーからなる前記本体によって支持され、前記導体リードに直接接続可能な、少なくとも一つの端子と、
ｃ）前記本体によって支持され、前記端子に接続された先端部と、前記貫通ワイヤに直接接続された基端部とを有する中間導体とからなることを特徴とするヘッダ組立体。
【請求項１３】
前記中間導体ワイヤの前記基端部が拡大頭部に接続され、この拡大頭部が孔とその孔に通じる溝とからなり、その溝の中にはバネがぴったり収められており、前記貫通ワイヤが前記孔内に受け入れられる際、前記バネが前記貫通ワイヤと接触するようになっていることを特徴とする請求項１２に記載のヘッダ組立体。
【請求項１４】
前記溝が、前記貫通ワイヤを取り囲む環状のバネを支持する環状溝であることを特徴とする請求項１２に記載のヘッダ組立体。
【請求項１５】
前記バネが板バネであることを特徴とする請求項１２に記載のヘッダ組立体。
【請求項１６】
植え込み型医療装置をそれによって補助されるべき身体器官に至る導体に接続する方法であって、
ａ）制御回路を収納するハウジングと、少なくとも一つの電気エネルギー貯蔵装置と、前記制御回路から前記ハウジングの壁を通って前記ハウジングの外側に位置する先端部へと延びる少なくとも一つの貫通ワイヤとを有する植込み型医療装置を準備する工程と、
ｂ）少なくとも一つの端子と、前記端子に接続された先端部及び基端部を有する少なくとも一つの一体形の中間導体とを支持する本体を準備する工程と、
ｃ）前記本体を前記医療装置上に取り付け、前記貫通ワイヤの前記基端部が、前記中間導体の少なくとも一部と重なり合う関係で配置される様にする工程と、
ｄ）前記貫通ワイヤの前記基端部を、前記中間導体に固定する工程と、からなることを特徴とする方法。
【請求項１７】
前記中間導体ワイヤの前記基端部が段部からなり、前記貫通ワイヤを前記導体ワイヤに重ね合わせ結合構造で固定する工程を含むことを特徴とする請求項１６に記載の方法。
【請求項１８】
前記中間導体ワイヤの基端部が、前記貫通ワイヤを受け入れて接続することができる孔を有する拡大頭部からなることを特徴とする請求項１６に記載の方法。
【請求項１９】
前記拡大頭部の孔がバネを支持する溝からなり、前記ヘッダ組立体を前記医療装置上に取り付けると共に前記貫通ワイヤを前記孔内に受容し、前記バネが前記貫通ワイヤと接触する様にする工程、を含むことを特徴とする請求項１８に記載の方法。
【請求項２０】
前記溝が、前記貫通ワイヤを取り囲む環状のバネを支持する環状溝であることを特徴とする請求項１９に記載の方法。
【請求項２１】
前記バネが板バネであることを特徴とする請求項１９に記載の方法。
【請求項２２】
ポリマー物質からなる前記本体を準備する工程を含むことを特徴とする請求項１６に記載の方法。
【請求項２３】
前記ハウジングに固定されたブラケットを受容する第１の入口と第２の入口を含む前記本体を準備する工程と、前記ブラケットを前記第１の入口内に受容し、前記ヘッダ組立体を医療装置上に取り付ける工程と、楔を前記第２の入口とブラケットの入口に差し込むことにより、前記ヘッダ組立体を医療装置に固定する工程と、を含むことを特徴とする請求項１６に記載の方法。  
【発明の詳細な説明】
【技術分野】
【０００１】
本発明は、植え込み型医療装置によって補助される器官にその医療装置を接続するための一体形ヘッダ組立体に関する。このヘッダ組立体は、ヘッダに支持された中間導体ワイヤの先端に電気的に接続された端子ブロックを含んでいる。この中間導体ワイヤの基端は、医療装置から来る貫通ワイヤ又はピンに接続するための迅速接続（ｑｕｉｃｋ  ｃｏｎｎｅｃｔ）構造からなっている。電気リードが端子ブロックの中に挿入され、医療装置から、体の組織に挿入された電気リードの先端への導通を確立する。
【背景技術】
【０００２】
植え込み型医療装置は、その医療装置の内部構成要素に接続されたピン又はワイヤの形態の貫通導体を有している。貫通ワイヤは、医療装置のハウジングの壁を貫通して延びているほか、セラミック−対−金属シール又はガラス−対−金属シールによってハウジングから電気的に絶縁されている。補助される体内器官にくっ付けられた導体リードへの電気的な導通は、医療装置上に取り付けられたポリマー（高分子）ヘッダに支持された中間導体ワイヤを、貫通ワイヤと、成形ヘッダの端子ブロックとに接続することによって確立される。又端子ブロックは、導体リードを成形ポリマーヘッダ内へ差し込む為に設けられる。この種のヘッダ組立体の例は、ランガーへの米国特許第４，２５４，７７５号、キネー他への同第４，２６２，６７３号、シュツッツ  ジュニアーへの同第４，７６４，１３２号、シュスツコウスキーへの同第５，２８２，８４１号、ダンタナラヤナへの同第５，３３６，２４６号に示されている。しかしながら、必要なことは医療装置からの貫通ワイヤと成形ヘッダによって支持された中間導体ワイヤとの間の迅速かつ信頼性のある接続である。本発明の接続構造体は、これら先行特許に示されたものに対する改良である。
【０００３】
［発明の概要］
従って本発明は、医療装置のためのヘッダ組立体に向けられている。このヘッダ組立体は、医療装置内より延びる貫通ワイヤと、補助される体内器官又は組織に接続された導体リードとの間の電気的接続を提供する。医療装置からの貫通ワイヤを成形ヘッダ内の導体ワイヤに固定するための構成からなるヘッダ組立体の種々の異なる実施例が記述される。身体組織から導かれ、端子ブロックに接続される導体ワイヤは、この端子ブロック内に差し込まれるものである。
【０００４】
本発明の特徴は、添付の図面に関連して提示される以下の詳細な説明を考慮することによって明らかになるであろう。
【発明を実施するための形態】
【０００５】
添付図面を参照すると、図１〜６は、本発明によるヘッダ組立体１０を示しており、この集合体は、支持板１８上に載置されたポリマー物質の成形体からなるヘッダ１６に部分的に包囲された２対の端子ブロック１２Ａ、１２Ｂ及び１４Ａ、１４Ｂからなっている。支持板１８は、植え込み型医療装置２２の上側部分２０の上に置かれる。端子ブロックの対１２Ａ、１２Ｂ及び１４Ａ、１４Ｂはそれぞれ、同軸導体ワイヤのリード２４を、医療装置から身体組織へ接続するためのものである。植え込み型医療装置２２は、多くの公知の補助装置、例えば心臓細動除去器、心臓ペースメーカー、薬品ポンプ、神経刺激器、補聴器等である。
【０００６】
植え込み型医療装置２２は、導電性材料、例えばチタン、ステンレススチールのハウジング２６からなる。好ましくは、この医療装置のハウジング２６は、フラスタチ他のの米国特許第６，６１３，４７４号に示されるような重ね合わせ又は突合わせ溶接構造のはめ合いクラムシェル（二枚貝の殻状部材）部材からなる。この米国特許は、本発明の出願人に譲渡されたものであり、ここに参照として組み込まれる。ハウジング２６はまた、当業者に公知の角柱状又は円柱状の深絞り構造とすることもできる。
【０００７】
ハウジング２６の形状は、たとえば、第１と第２の平坦主面壁２８、３０が側壁３２と上部２０に接合されたものからなる。側壁３２は、上部２０の一端から他端にかけて湾曲しており、又面壁２８から３０にかけても弓状になっている。ハウジング２６の好ましいはめ合いクラムシェル部材は、例えばレーザ又は抵抗溶接によって互いに気密封止され、制御回路３４及び電池のような電源３６を含む医療装置の封入容器を提供している（制御回路及び電源は、図１において破線で示す）。電源３６は、電気リード（図示せず）によって制御回路３４に接続されている。細動除去器のような医療装置には、キャパシタも含まれる。
【０００８】
ハウジング２６の上部２０は、少なくとも４つの孔を有する平坦な上面３８を有し、これらの孔をそれぞれ、貫通ワイヤ４０、４２、４４及び４６が通過する様になっている。貫通ワイヤは、ハウジング２６内に位置し制御回路３４に接続される先端部から、ハウジング上部の上面３８上方にある基端部へと延びている。貫通ワイヤ４０、４２、４４及び４６は、当業者に公知のようにそれぞれセラミック−対−金属シール又はガラス−対−金属シール（図示せず）によってハウジング２６から電気的に絶縁されている。
【０００９】
図４に示すように、端子ブロック対１２Ａ、１２Ｂ及び１４Ａ、１４Ｂは、同軸関係となる様一直線上に揃えられ、成形ヘッダ１６のポリマー物質内に収容されている。成形ヘッダ１６は、湾曲上壁５２及びほぼ平坦な底壁５４へと延び、相隔たる前壁及び後壁４８、５０からなる。底壁５４は、支持板１８の上面５６上に支持されているほか、支持板の周辺にある逃げ溝に入り込むことによってその場所に保持されている。他の実施例においては、支持板１８の代わりに、外側の周縁逃げ溝又は内側の周縁逃げ溝のいずれか、或いはこれらの双方を有するリング（図示しない）が使用される。
【００１０】
当業者は図示の成形ヘッダの形状が例示的であることは容易に理解できるであろう。事実、成形ヘッダは、種々の異なった形状とすることができ、関連付けられる医療装置の仕様及びそれが意図する用途によってのみ制限される。
【００１１】
各端子ブロック１２Ａ、１２Ｂ及び１４Ａ、１４Ｂは、円筒形状の内孔を有している。端子ブロック対１２Ａ、１２Ｂ及び１４Ａ、１４Ｂは、湾曲した上壁５２からポリマーヘッダ１６内に延びる孔６０、６２の長軸に沿って一直線上に揃えられた内孔を有している。孔６０、６２の構造を孔６０について詳細に述べるが、孔６２も同様の構造であることが理解される。
【００１２】
すなわち、ヘッダ組立体の孔６０は、導体リード２４の先端部２４Ａを受け入れる寸法の第１の径を有する第１の部分６０Ａと、このリードの基部２４Ｂを受け入れる寸法のより大径の第２の中間部分６０Ｂと、この中間部分よりもさらに大径の第３の部分６０Ｃとを有している。一つの孔部分とより大きな次の孔部分の間には、円錐台状部分が形成される。端子ブロック１２Ａ、１２Ｂは、第１と第２の孔部分６０Ａ、６０Ｂよりも若干大きな直径のリード孔を有しているので、導体リード２４は、その中にぴったりと電気的に安定な結合状態で支受される。
【００１３】
図４に示すように、各端子ブロック１２Ａ、１２Ｂ及び１４Ａ、１４Ｂは中間導体ワイヤに接続される。中間導体ワイヤは、ブロックと、それに関連付けられた医療装置から来る貫通ワイヤとの間に電気伝導性を与えるものである。より詳しくいえば、中間導体ワイヤ６４は、端子ブロック１２Ａの外壁に、例えば溶接によって電気的に接続された先端部を有する一体形の部材である。このワイヤ６４は、その中間に屈曲部を有しており、ヘッダ１６の底壁５４の入口６５内にある基端部６４Ａへと延びている。中間導体ワイヤ６４は、その基端部を除いて、その長軸に垂直なほぼ円形断面を有している。この基端部でこのワイヤは、その直径のほぼ半分に及ぶ段部６４Ａを有している。後記の通り、段部６４Ａは、中間導体ワイヤ６４を貫通ワイヤ４０に固定するための重ね合わせ接合構造を可能にする。
【００１４】
同様に、端子ブロック１２Ｂは、中間導体ワイヤ６６の先端に電気的に接続される。入口６５内にあるワイヤ６６の基端部は、段部６６Ａを有している。この段部６６Ａは、中間導体ワイヤ６６を貫通ワイヤ４２に固定するための重ね合わせ接合を可能にする。
【００１５】
端子ブロック１４Ａは、中間導体ワイヤ６８の先端部に電気的に接続されている。ワイヤ６８の基端部は、入口６５内にあって中間導体ワイヤを貫通ワイヤ４４に固定するための段部６８Ａを有している。
【００１６】
端子ブロック１４Ｂは、中間導体ワイヤ７０の先端部に電気的に接続されている。ワイヤ７０の基端部は、入口６５内にあって中間導体ワイヤを貫通ワイヤ４６に固定するための段部７０Ａを有している。
【００１７】
ヘッダ１６は、２対の端子ブロックを有するものとして示されているが、これは例示目的のためにすぎない。当業者であれば、このヘッダは、１対、或いは２対を越える端子ブロックを有することもできることを理解できよう。又端子ブロックは、対として設けられる必要はない。それどころか、或る１つのヘッダの孔を、１個のみの、或いは２個を越える、一直線上に揃えられた端子ブロックに関連付けることも可能である。
【００１８】
端子ブロック１２Ｂ及び１４Ｂにはそれぞれ、内側の環状溝７２、７４が備えられている。溝７２、７４内には、それぞれ変形可能なコイルスプリング７６、７８がぴったり収められ、端子ブロック１２Ｂ、１４Ｂが、孔６０、６２内に受容された導体リード２４と電気的に接続されるのを確実にするのに寄与している。
【００１９】
成形ヘッダ１６の前壁４８には、楕円状の隆起部８０が設けられている。一対の通路８２、８４が、隆起部８０を貫通してそれぞれ端子ブロック１２Ａ、１４Ａに通じている。通路８２、８４は、孔６０、６２の長軸に垂直に位置合わせされている。通路８２は、端子ブロック１２Ａ内にあって、止めねじ（図示せず）を受容する、ねじ山の付いた開孔部８６（図１、２、５）に通じている。止めねじは、導体リード２４の先端部分２４Ａと接触し、このリードと端子ブロック１２Ａ、１２Ｂとの間の電気的接触が失われるのを防止する。同様に、通路８４は、端子ブロック１４Ａの側壁内にあるねじ山の付けられた開孔部８８へと延びている。このねじ山の付いた開孔部は、止めねじ（図示せず）を受容して、リードと端子ブロック１４Ａ、１４Ｂとの間の電気的な導通を維持する様になっている。
【００２０】
以上に記述した成形ヘッダ１６は、支持板１８を上部２０の上面３８に接触させて、医療装置２２上に取り付けられる。支持板１８は、開口部１８Ａ（図１、２、４）を有しており、ここを通って貫通ワイヤ４０、４２、４４、４６が延びる様になっている。支持板１８と上壁２０は双方とも導電性金属からなっており、両者の接合には通常、溶接が用いられる。成形ヘッダ１６を医療装置２２に固定した際、貫通ワイヤ４０は、入口６５内にある中間導体ワイヤ６４の基端の段部６４Ａと重なり合う長さを有している。貫通ワイヤ４０を導体ワイヤ６４の段部６４Ａに溶接すると、電気的接続が行われる。このようにすれば、医療装置と端子ブロックの間には２つの接続のみが存在することとなる。即ち一つは、貫通ワイヤ４０と段部６４Ａとの接続であり、もう一つは、中間導体ワイヤ６４の先端部と端子ブロック１２Ａとの接続である。
【００２１】
同様の電気的な接続が、貫通ワイヤ４２を導体ワイヤ６６の段部６６Ａに溶接し、貫通ワイヤ４４を導体ワイヤ６８の段部６８Ａに溶接し、貫通ワイヤ４６を導体ワイヤ７０の段部７０Ａに溶接することによって行われる。このようにして、医療装置２２の制御回路３４と端子ブロック１２Ａ、１２Ｂ、１４Ａ及び１４Ｂとの間の電気的な導通が、それぞれ中間導体ワイヤ６４、６６、６８及び７０を介して確立される。
【００２２】
貫通ワイヤ４０、４２、４４及び４６と中間導体ワイヤの基端部６４Ａ、６６Ａ、６８Ａ及び７０Ａとが接続される成形ヘッダ１６の入口６５（図１〜４）は、その後、ポリマー物質によって充填される。適当なポリマー物質としては、シリコンを基材とした物質がある。この物質は、体液がこれらの電気的接続部に接触するのを防止する。
【００２３】
医療装置は、使用する際には人間や動物の体内に配置され、身体機能を補助する、縫合用の孔９０が、医療装置２２を体内に固定するのを補助するために成形ヘッダ１６に設けられる。そののち、医師は、導体リード２４を成形ヘッダ１６のそれぞれの孔６０、６２に挿入する。同軸導体のリード２４と反対側の先端（図示せず）は、すでに体の組織、たとえば、心臓の筋肉内に配置されており、医療装置に生理的な情報を伝達し、必要に応じて、医療的見解を与える様になっている。
【００２４】
その様な医療装置の一例としては、心臓の鼓動を長期間にわたってモニタする心臓細動除去器がある。急速不整脈として知られている潜在的に致命的な不規則かつ急速な鼓動が検出されると、細動除去器は、電気的ショックを心臓に送る。この電気的ショックは、制御回路３４から貫通ワイヤ４０、４２、４４及び４６並びに中間導体ワイヤ６４、６６、６８及び７０を介して伝達される。これらの導体は、導体リード２４が差し込まれている端子ブロック１２Ａ、１２Ｂ、１４Ａ、１４Ｂに電気的に接続されている。
【００２５】
図６〜８は、本発明による中間導体ワイヤ１００の別の実施例を示すものである。導体ワイヤ１００は、先に述べた導体ワイヤ６４、６６、６８、７０に代えて、或いはこれらと組み合わせて用いられる。たとえば、端子ブロック１２Ａ、１２Ｂを、中間導体ワイヤ６４、６６に接続する一方、端子ブロック１４Ａ、１４Ｂを、中間導体ワイヤ１００に接続することも可能である。
【００２６】
いずれの場合も、導体ワイヤ１００は、望ましくは、その長さ方向に垂直な円形断面を有する単一部材であって、端子ブロック、たとえば、ブロック１２Ａに電気的に固定された先端部（図示せず）から反対の基端部１００Ａまで延びている。導体ワイヤ１００の基端部１００Ａは、成形ヘッダ１６の入口６５内にある。基端部１００Ａは、ワイヤ１００の残りの長さ部分よりも大きな直径を有する頭部１０２からなる。頭部１０２は、入口６５の深さよりも若干短い長さの円柱状部分である。孔１０４が頭部の長軸に沿って一直線上に、頭部１０２内に設けられている。
【００２７】
図７は、貫通ワイヤ４０、４２、４４及び４６に対応する４本の導体ワイヤ１００、１０６、１０８及び１１０を支持する成形ポリマーヘッダ１６を示している。ヘッダ１６が医療装置２２上に取り付けられた際、貫通ワイヤは、導体ワイヤの頭部１０２の孔１０４内に受容されている。導体ワイヤと貫通ワイヤは、そこで溶接等によって結合される。シリコンを基材とした物質（図示せず）が、成形ヘッダ１６内の孔６５を充填するのに使用される。
【００２８】
図９〜１１は、本発明の別の実施例である中間導体ワイヤ１２０を示すものである。導体ワイヤ１００の場合と同じように、導体ワイヤ１２０は、先に述べた導体ワイヤの代わりに、又は一緒に用いられる。導体ワイヤ１２０は、その長さ方向に垂直な円形断面を有し、端子ブロック、たとえば、ブロック１２Ａに電気的に固定された先端部（図示せず）から反対の基端部１２０Ａにまで延びている。基端部１２０Ａは、成形ポリマーヘッダ１６の入口６５内にあり、接続ブロック１２２内の孔の中に受け入れられている。導体ワイヤ１２０と接続ブロック１２２とは、互いに溶接して結合されていることが好ましい。同軸孔１２４が導体ブロック１２２の内部に、その長さ方向に部分的に延びている。孔１２４の側壁に設けられた環状溝１２６内には、環状のコイルバネ１２８がぴったり収められている。
【００２９】
図９は、貫通ワイヤ４０、４２、４４及び４６に対応する４本の導体ワイヤ１２２、１３０、１３２及び１３４を支持する成形ヘッダ１６を示す。ヘッダ１６が医療装置２２上に取り付けられた際、貫通ワイヤは導体ワイヤのそれぞれの導体ブロック１２２の孔１２４内に受容される。この導体ワイヤと貫通ワイヤは、溶接によって結合されている必要はない。その代わりにコイルバネ１２８が、貫通ワイヤと、中間導体ワイヤ１２０の先端部１２０Ａに溶接された接続ブロック１２２との間に十分な導電性を与える。シリコンを基材とした物質（図示せず）が、成形ヘッダ１６の入口６５を充填するのに使用される。
【００３０】
図１０Ａに示される様に、導体ワイヤ１２０と接続ブロック１２２が一体であることも本発明の範囲に包含される。導体ワイヤ１２１は、その長さ方向に垂直な円形断面を有し、端子ブロック、たとえば、ブロック１２Ａに電気的に結合された先端部（図示せず）から反対の基端部にある頭部１２１Ａまで延びている。導体ワイヤ１２１の基端部にある頭部１２１Ａは、成形ポリマーヘッダ１６の入口６５内にあり、その内部に向かって長さ方向に一部延びている同軸孔１２３を有している。孔１２３の側壁に設けられた環状溝１２５内には、コイルバネ１２８がぴったり収められている。他のすべての点では、導体ワイヤ１２１は、先に述べたワイヤ１２０及び接続ブロック１２２と同様に機能する。
【００３１】
バネは、コイル構造である必要がないことも、本発明の範囲内にある。図１１Ａに示すように、孔１２４の側壁に設けられた環状溝１２６は、その中にぴったり収められた環状板バネ１２９を支持している。
【００３２】
図１２〜１４は、ポリマーヘッダ１４０を医療装置２２に固定するための構成の他の実施例を示すものである。ポリマーヘッダ１４０は、先に述べたヘッダ１６と同様である。但し、支持板に逃げ溝は形成されていない。その代わりに、医療装置のヘッダ２０は、Ｌ字型のブラケット１４２を支持している。このブラケットは、望ましくは、チタン、ステンレススチールのような金属からなり、細長いスロット１４４が設けられた直立壁１４２Ａを有している。スロット１４４の長軸は、医療装置の上部２０の平坦上面５６に平行である。ヘッダ１４０の底壁５４Ａには、ブラケット１４２の形状に合致する入口１４６が設けられている。側方入口１４８がヘッダ１４０の側壁１５０に設けられ、入口１４６と交差している。成形ヘッダ１４０が医療装置２２上に取り付けられると、ブラケット１４２が入口１４６内に受け入れられる。この位置で側方入口１４８は、スロット１４４と一直線上に揃えられる。図１３に示すように、好ましくはブラケット１４２と同様な金属からなる楔１５２が、側方入口１４８及びブラケットのスロット１４４内に挿入されて、ヘッダと医療装置とを結合している。楔はまた、ポリマー物質であってもよい。
【００３３】
図１５〜１７は、先に述べたヘッダ１４０と同様のポリマーヘッダ１６０を医療装置２２に固定するための構成の別の実施例を示すものである。医療装置のヘッダ２０は、Ｕ字型のブラケット１６２を支持している。このブラケットは、好ましくは、チタン、ステンレススチールのような金属からなり、それぞれスロット１６４が設けられた一対の直立側壁１６２Ａ、１６２Ｂを有している。スロット１６４の長軸は、医療装置ヘッダ２０の平坦上面５６に平行である。成形ヘッダ１６０の底壁５４Ｂには、ブラケット１６２の形状に合致した入口１６６が設けられている。側方入口１６８がヘッダ１６０の側壁１７０に設けられ、入口１６４と交差している。ヘッダ１６０が医療装置２２上に取り付けられると、ブラケット１６２が入口１６６内に受容される。この位置で、側方入口１６８が長孔１６４と一致する。図１６に示すように、金属又はポリマー製の楔１７２が側方入口１６８及びブラケットの長孔１６４に挿入されて、ヘッダ１６０と医療装置２２とを結合している。
【００３４】
以上のように、本発明は、その目的を達成することは明らかである。本発明の実施例を詳細に述べたが、これは例示目的のためであって、限定のためではない。
【図面の簡単な説明】
【００３５】
【図１】本発明による植え込み型医療装置１８上に取り付けられたヘッダ組立体１０の分解図である。
【図２】図１に示されたヘッダ組立体１０の斜視図である。
【図３】図１に示されたヘッダ組立体の別の斜視図である。
【図４】図２の４−４線断面図である。
【図５】図４の５−５線断面図である。
【図６】中間導体リード１００の他の実施例の斜視図である。
【図７】複数の導体リード１００、１０６、１０８、１１０を支持するヘッダ１６の部分断面図である。
【図８】図７の８−８線断面図である。
【図９】本発明の他の実施例による複数の中間導体ワイヤ１２０、１３２、１３４、１３６を支持するヘッダ１６の部分断面図である。
【図１０】導体ワイヤ１２０とそれに関連付けられた導体ブロック１２２の断面図である。
【図１０Ａ】環状内溝１２５内にコイルバネ１２８を支持する一体基端部１２１Ａを有する、導体ワイヤ１２１の別の実施例を示す図である。
【図１１】図１０の１１−１１線断面図である。
【図１１Ａ】導体ワイヤの基端部に設けられた環状内溝１２６内に支持された板バネ１２９の別の実施例を示す図である。
【図１２】ポリマーヘッダ１４０を医療装置２２に固定するブラケット１４２の一実施例の斜視図である。
【図１３】医療装置２２に固定されたヘッダ１４０を示す側面図である。
【図１４】医療装置２２に固定されたヘッダ１４０を示す正面図である。
【図１５】ポリマーヘッダ１６０を医療装置２２に固定するブラケット１６２の別の実施例の斜視図である。
【図１６】医療装置２２に固定されたヘッダ１６０を示す側面図である。
【図１７】医療装置２２に固定されたヘッダ１６０を示す正面図である。
【図１】
2004283550.tif 000002
【図２】
2004283550.tif 000003
【図３】
2004283550.tif 000004
【図４】
2004283550.tif 000005
【図５】
2004283550.tif 000006
【図６】
2004283550.tif 000007
【図７】
2004283550.tif 000008
【図８】
2004283550.tif 000009
【図９】
2004283550.tif 000010
【図１０】
2004283550.tif 000011
【図１０Ａ】
2004283550.tif 000012
【図１１】
2004283550.tif 000013
【図１１Ａ】
2004283550.tif 000014
【図１２】
2004283550.tif 000015
【図１３】
2004283550.tif 000016
【図１４】
2004283550.tif 000017
【図１５】
2004283550.tif 000018
【図１６】
2004283550.tif 000019
【図１７】
2004283550.tif 000020
【外国語明細書】
2004283550000001.pdf
2004283550000002.pdf
2004283550000003.pdf
2004283550000004.pdf